(57)【要約】【課題】シールポットの取付けの自由度を増し、メンテナンスを簡便にすること。【解決手段】回転軸５０が挿通された筒状のハウジング３１と、ハウジング３１の両方の開口部にそれぞれ配置され、回転軸５０の外周面に液密に摺接するメカニカルシール２３及びシールリング３２と、ハウジング３１内にクエンチング液を供給するためのシールポット３３とを備え、ハウジング３１は、その上部に開閉可能な空気孔３４と、下部に開閉可能な水抜孔３５と、側面にシールポット３３からのクエンチング液を導入するためのクエンチング液導入孔３６とを備えている。【選択図】図１
2011058411.tif 000002
【特許請求の範囲】
【請求項１】
回転軸が挿通された筒状のハウジングと、
このハウジングの両方の開口部にそれぞれ配置され、上記回転軸の外周面に液密に摺接するシール部と、
上記ハウジング内にクエンチング液を供給するためのシールポットとを備え、
上記ハウジングは、その上部に開閉可能な空気孔と、下部に開閉可能な水抜孔と、側面に上記シールポットからのクエンチング液を導入するためのクエンチング液導入孔とを備えていることを特徴とするポンプ用軸封装置。
【請求項２】
上記シール部の少なくとも一方はメカニカルシールであることを特徴とする請求項１に記載のポンプ用軸封装置。
【請求項３】
上記クエンチング液は、冷凍液または不凍液であることをシール部の少なくとも一方はメカニカルシールであることを特徴とする請求項１に記載のポンプ用軸封装置。
【発明の詳細な説明】
【技術分野】
【０００１】
本発明は、ポンプ装置に組み込まれ、回転軸からの液漏れを防止するためのポンプ用軸封装置に関し、特に氷結防止構造の改良に関する。
【背景技術】
【０００２】
ポンプの羽根車等の回転軸は、ハウジングに軸受を介して取り付けられている。一般的に軸受は液密には設けられていないため、ハウジング内部側にメカニカルシールを設け、液漏れを防止している。
【０００３】
ポンプが冷水を汲み上げる場合、湿気等によりメカニカルシール近傍が氷結し、メカニカルシールの摺動部に隙間が発生し、これを放置すると液漏れが発生する虞があった。この対策のため、メカニカルシールのクエンチング方式（氷結防止構造）がとられており、様々な構造のものが知られている（例えば、特許文献１〜３参照）。すなわち、クエンチング液を供給することにより、シール部分の氷結を防止し、低温流体によるシール不具合の発生を防止する。
【０００４】
図４は、このようなポンプ用軸封装置が組み込まれたポンプ装置の要部を示す図である。ポンプ装置１００は、羽根車１０１が収容されたハウジング１０２と、羽根車１０２に取り付けられた回転軸１０３を備えている。ハウジング１０２の図３中右側には軸封装置（メカニカルシール）１０４が配置されている。軸封装置１０４は、回転軸１０３の外周面に摺接し、ハウジング１０２内の水が外部に漏れることを防止している。また、軸封装置１０４の右側にはシールリング１０５が設けられ、その上部には、クエンチング流路１０６が設けられ、外部から冷凍液や不凍液等のシールポット１０６からクエンチング液が供給される構造となっている。なお、図３中１０７はカバー本体を示している。
【０００５】
なお、メカニカルシールの摺動面等の安定性を確保するために外部よりオイルを注入する構造が知られている（例えば、特許文献１，２参照）。
【０００６】
また、ドレン構造を有し、オイル（クエンチング）通路の出入が示されたものが知られている（例えば、特許文献３参照）。
【先行技術文献】
【特許文献】
【０００７】
【特許文献１】実願平２−１０１９４９（実開平４−５８２６９のマイクロフィルム）
【特許文献２】特開２００６−２５０３０６号公報
【特許文献３】特開２００７−１２７２２３号公報
【発明の概要】
【発明が解決しようとする課題】
【０００８】
上述したポンプ用軸封装置では、次のような問題があった。すなわち、クエンチング液を供給するためのシールポットは、メカニカルシールの上部に設けるほうが満水にしやすい。しかしながら、汎用ポンプでは強度を確保するため上部にリブ形状が形成されていることから、汎用ポンプに取り付けることは困難であった。
【０００９】
また、軸封装置１０４内に溜まったクエンチング液が腐敗した場合等に排出しなければならないが、カバー本体１０７を外さなければならず、メンテナンス上の問題があった。
【００１０】
そこで本発明は、シールポットの取付けの自由度が増すとともに、メンテナンスが簡便となるポンプ用軸封装置を提供することを目的としている。
【課題を解決するための手段】
【００１１】
前記課題を解決し目的を達成するために、本発明のポンプ用軸封装置は次のように構成されている。
【００１２】
回転軸が挿通された筒状のハウジングと、このハウジングの両方の開口部にそれぞれ配置され、上記回転軸の外周面に液密に摺接するシール部と、上記ハウジング内にクエンチング液を供給するためのシールポットとを備え、上記ハウジングは、その上部に開閉可能な空気孔と、下部に開閉可能な水抜孔と、側面に上記シールポットからのクエンチング液を導入するためのクエンチング液導入孔とを備えていることを特徴とする。
【発明の効果】
【００１３】
本発明によれば、シールポットの取付けの自由度が増すとともに、メンテナンスが簡便とすることが可能となる。
【図面の簡単な説明】
【００１４】
【図１】本発明の一実施の形態に係るポンプ用軸封装置が組み込まれたポンプ装置を一部切欠して示す縦断面図。
【図２】同ポンプ装置を示す正面図。
【図３】同ポンプ装置の要部を一部切欠して示す断面図。
【図４】ポンプ用軸封装置が組み込まれたポンプ装置の要部を示す縦断面図。
【発明を実施するための形態】
【００１５】
図１は本発明の一実施の形態に係るポンプ用軸封装置３０が組み込まれた給水用のポンプ装置１０を一部切欠して示す側面図、図２は同ポンプ装置１０を示す正面図、図３は同ポンプ装置１０の要部を一部切欠して示す断面図である。
【００１６】
ポンプ装置１０は、ポンプ本体２０と、このポンプ本体２０に取り付けられた軸封装置３０と、回転駆動部４０と、これらに共通して挿通する回転軸５０とを備えている。
【００１７】
ポンプ本体２０は、ハウジング２１と、このハウジング２１内に収容され、回転軸５０に支持された羽根車２２と、ハウジング２１の開口部を回転軸５０と共に閉塞するメカニカルシール２３とを備えている。
【００１８】
軸封装置３０は、回転軸５０が挿通された筒状のハウジング３１を備えている。ハウジング３１は、円筒状のメカニカルシールカバー３１ａと、このメカニカルシールカバー３１ａの一方の開口部を蓋するカバー３１ｂとを備えている。カバー３１ｂの内径部には、回転軸５０の外周面に摺接するシールリング３２が設けられている。また、メカニカルシールカバー３１ａには、ハウジング３１内にクエンチング液を供給するためのシールポット３３が接続されている（図２参照）。
【００１９】
また、ハウジング３１は、その上部に開閉可能な空気孔３４と、下部に開閉可能な水抜孔３５と、側面にシールポット３３からのクエンチング液（冷凍液、不凍液）を導入するためのクエンチング液導入孔３６とを備えている。また、空気孔３４は蓋３４ａにより閉塞され、水抜孔３５は栓３５ａにより閉塞されている。
【００２０】
回転駆動部４０は、ハウジング２１に取り付けられたフレーム４１と、このフレーム４１に支持されたケーシング４２と、このケーシング４２内に収容された電動機４３とを備えている。なお、電動機４３の出力軸は回転軸５０と一体となっている。
【００２１】
このように構成されたポンプ装置１０は、次のようにして用いられる。まず、水の温度が低い場合、メカニカルシール２３近傍が氷結し、回転軸５０との摺動部に隙間が生じ、液漏れが発生することを防止するため、シールポット３３からクエンチング液を導入する。なお、このとき、空気がハウジング３１内に残る場合には、空気孔３４の蓋３４ａを外し、空気を抜く。
【００２２】
次に、回転駆動部４０の電動機４３を駆動し、回転軸５０を回転駆動する。これにより、ポンプ本体２０のハウジング２１内の羽根車２２が回転し、揚水動作が開始される。
【００２３】
このとき、ハウジング２１内の水は、メカニカルシール２３と回転軸５０の外周面に接するメカニカルシール２３によって外部に漏れることがない。ハウジング３１内に流入したクエンチング液は、シールリング３２によって封止されるため、回転軸５０の表面を伝わってハウジング３１の外部に漏れ出すことはない。
【００２４】
なお、軸封装置３０は、クエンチング液導入孔３６が側面に設けられているので、シールポット３３の配置の自由度が大きくなり、様々な種類のポンプに取り付けることが可能となる。
【００２５】
また、軸封装置３０内に溜まったクエンチング液が腐敗した場合には、水抜き孔３４の栓３４ａを外し、クエンチング液を排出する。このため、カバー３１ａを取り外す等の作業が不要となり、メンテナンスが簡易となる。
【００２６】
上述したように、本実施の形態に係る軸封装置３０を備えたポンプ装置１０によれば、シールポット５３の取付けの自由度が増すとともに、メンテナンスが簡便とすることができる。
【００２７】
なお、本発明は前記実施の形態に限定されるものではない。例えば、上述した例では、給水用のポンプ装置に組み込まれる軸封装置について説明したが、消火剤や薬剤等の液体に適合したポンプ装置についても適用可能である。この他、本発明の要旨を逸脱しない範囲で種々変形実施可能であるのは勿論である。
【産業上の利用可能性】
【００２８】
クエンチング機構の取付けの自由度が増すとともに、メンテナンスが簡便となるポンプ用軸封装置が得られる。
【符号の説明】
【００２９】
１０…ポンプ装置、２０…ポンプ本体、２１…ハウジング、２２…羽根車、２３…メカニカルシール、３０…軸封装置、３１…ハウジング、３１ａ…メカニカルシールカバー、３１ｂ…カバー、３２…シールリング、３３…シールポット、３４…空気孔、３５…水抜孔、３６…クエンチング液導入孔、４０…回転駆動部、５０…回転軸。
【図１】
2011058411.tif 000003
【図２】
2011058411.tif 000004
【図３】
2011058411.tif 000005
【図４】
2011058411.tif 000006